(57)【特許請求の範囲】
【請求項１】
道路下に築造されたマンホール本体の上部にコンクリートブロックを有し、該コンクリートブロックの上面と、その上に設置される蓋受枠の据付フランジとの間隔を蓋高さ調整装置により調整し、該間隔空間に充填材を流し込んで硬化させ、蓋受枠に嵌合された蓋体を路面高さにレベル合せする蓋高さ調整時におけるマンホール首部防水構造において、
上記コンクリートブロックの上面側における上記蓋高さ調整装置の内方側に第１止水部材を連続して配置し、且つ上記蓋受枠の据付フランジ下面側における上記蓋高さ調整装置の内方側に第２止水部材を連続して配置し、
マンホール外部からマンホール内部に漏入する水を、上記各止水部材により遮断するようにしたことを特徴とするマンホール首部防水構造。
【請求項２】
道路下に築造されたマンホール本体の上部にコンクリートブロックを有し、該コンクリートブロックの上面と、その上に設置される蓋受枠の据付フランジとの間隔を蓋高さ調整装置により調整し、該間隔空間に充填材を流し込んで硬化させ、蓋受枠に嵌合された蓋体を路面高さにレベル合せする蓋高さ調整時におけるマンホール首部防水工法において、
上記コンクリートブロックの上面側における上記蓋高さ調整装置の内方側に第１の止水部材を連続して配置する共に、上記蓋受枠の据付フランジ下面側における上記蓋高さ調整装置の内方側に第２止水部材を連続して配置する工程と、
該工程の後、上記蓋高さ調整を行って、上記コンクリートブロックの上面と上記蓋受枠の据付フランジ下面間に充填材を流し込む工程とを有することを特徴とするマンホール首部防水工法。
【発明の詳細な説明】
【０００１】
本発明は、マンホール首部防水構造及び防水工法に関し、詳しくは、道路下の既設マンホールの高さ調整工事時に防水施工を行い、マンホール内部への雨水等の漏入を防止するマンホール首部防水構造及び防水工法に関するものである。
【０００２】
【従来の技術】
従来、既設マンホールの高さ調整工事あるいは道路下にマンホールを築造する際に、マンホールの蓋部は路面の傾斜に対し上下調整する必要があり、このためのマンホールの蓋高さ調整工法または調整装置が各種提案されている。
例えば、図８に示すように、マンホール上部を構成するコンクリートブロックａの上面に調整ボルトｂを立設し、該調整ボルトｂに螺合された調整ナットｃを調整して蓋受枠ｄの傾斜を調整する。そしてコンクリートブロックａと蓋受枠ｄとの間隙空間に充填コンクリートを流し込むようにしている。
【０００３】
【発明が解決しようとする課題】
ところで、上述したようにして施工されたマンホール上部においては、車両の通過等の原因により、マンホール外部からマンホール内部へ雨水が漏入することがしばしばある。
詳しくは、異なる材料の接合面である、コンクリートブロックの上面と充填コンクリートとの接合面、または充填コンクリートと蓋受枠との接合面に沿って漏入する現象が僅かであるが確認されている。
【０００４】
このようにマンホール内部に雨水等が漏入すると、マンホール内に敷設してある通信管路等を腐食する原因となり、さらには、ケーブル本体にも悪影響を及ぼすことが危惧される。
【０００５】
本発明は、これらの問題を解決するものであり、マンホールの蓋高さ調整後に、マンホール内部への雨水等の漏入を防止するマンホール首部防水構造を提供することを目的とするものである。
【０００６】
【課題を解決するための手段】
上記目的を達成するために、請求項１に記載の発明は、道路下に築造されたマンホール本体の上部にコンクリートブロックを有し、該コンクリートブロックの上面と、その上に設置される蓋受枠の据付フランジとの間隔を蓋高さ調整装置により調整し、該間隔空間に充填材を流し込んで硬化させ、蓋受枠に嵌合された蓋体を路面高さにレベル合せする蓋高さ調整時におけるマンホール首部防水構造において、上記コンクリートブロックの上面側における上記蓋高さ調整装置の内方側に第１止水部材を連続して配置し、且つ上記蓋受枠の据付フランジ下面側における上記蓋高さ調整装置の内方側に第２止水部材を連続して配置し、マンホール外部からマンホール内部に漏入する水を、上記各止水部材により遮断するようにしたことを特徴とする。
【０００７】
また、本願の請求項２に係る発明は、道路下に築造されたマンホール本体の上部にコンクリートブロックを有し、該コンクリートブロックの上面と、その上に設置される蓋受枠の据付フランジとの間隔を蓋高さ調整装置により調整し、該間隔空間に充填材を流し込んで硬化させ、蓋受枠に嵌合された蓋体を路面高さにレベル合せする蓋高さ調整時におけるマンホール首部防水工法において、上記コンクリートブロックの上面側における上記蓋高さ調整装置の内方側に第１の止水部材を連続して配置する共に、上記蓋受枠の据付フランジ下面側における上記蓋高さ調整装置の内方側に第２止水部材を連続して配置する工程と、該工程の後、上記蓋高さ調整を行って、上記コンクリートブロックの上面と上記蓋受枠の据付フランジ下面間に充填材を流し込む工程とを有することを特徴とする。
【０００８】
このような本発明によると、異なる材質で構成されるコンクリートブロックの上面と充填材との接合面、及び充填材の上面と蓋受枠の据付フランジとの接合面にそれぞれ第１止水部材及び第２止水部材を配置したものであるから、第１止水部材及び第２止水部材により上記各接合面に沿って漏入する雨水を遮断することができ、その結果としてマンホール内部への雨水の漏入を防止することができる。また、第１止水部材及び第２止水部材は蓋高さ調整装置の内方側において連続して配置されているものであるから、第１止水部材及び第２止水部材は、コンクリートブロックの上面と充填材との接合面、及び充填材の上面と蓋受枠の据付フランジとの接合面に沿って漏入する雨水ばかりでなく、高さ調整装置から漏入する雨水をも遮断することができる。
【００１８】
【発明の実施の形態】
以下、本発明の実施例を図面に基づいて説明する。
図１はマンホールの上部の縦断面図であり、図２は上部コンクリートブロック側の斜視図である。図１において、符号１は道路の地下に築造されたマンホールで、このマンホール１内の下部には、図示しないが例えば通信管路等が貫通して接続されており、マンホール１の築造にあたっては、まず路面までの高さに基づいて設置される。
【００１９】
マンホール１は、基礎杭、グリ石等で固められた基礎の上に各種コンクリートブロック２を順に積み上げ、それぞれの接合部にエポキシ樹脂含浸体等の接着剤を配設して接着し、ずれ止めして設置される。そして、コンクリートブロック２の最上側には上部コンクリートブロック３が積み上げられ、上部コンクリートブロック３の上面はフラットに形成されており、後述する蓋高さ調整装置５の調整ボルト５１が埋め込まれている。なお、図示はしていないが、上部コンクリートブロック３の上面に雌ねじを埋め込み、この雌ねじに調整ボルト５１を螺着により立設してもよい。
【００２０】
図１において、符号４は金属製の蓋受枠であり、この蓋受枠４の下部には据付フランジ４１が一体に形成されており、この据付フランジ４１の外周寄りには挿通孔４２が複数個設けられている。また、蓋受枠４にはマンホール１の蓋体４３が着脱自在にはめ込まれている。そして蓋受枠４は蓋高さ調整装置５により路面の傾斜に合わせ上部コンクリートブロック３の上面に対して高さ調整され、上部コンクリートブロック３の上面と蓋受枠４の据付フランジ４１との間隔空間には充填材としての充填コンクリートＭが充填される。
【００２１】
さらに図１に示すように、上部コンクリートブロック３の上面には第１止水部材６が、また、蓋受枠４の据付フランジ４１の下面には第２止水部材７がそれぞれ配置されている。
第１止水部材６及び第２止水部材７は、水を吸収することにより体積が膨張する特性を有する水膨張性樹脂としての高吸水性樹脂と合成ゴムとを混合成形加硫してなる水膨張性ゴム材で構成されており、所要の厚みを有している。また、第１止水部材６及び第２止水部材７を配置する際には、上部コンクリートブロック３の上面及び蓋受枠４の据付フランジ４１の下面に接着剤で張り付けてもよいし、上部コンクリートブロック３の上面においては敷き詰めるだけでもよい。また、第１止水部材６及び第２止水部材７の配置に関しては図２に示すように、蓋高さ調整装置５の内方側において連続して配置する。
【００２２】
また、図５に示すように、上部コンクリートブロック３の上面側に配置する第１止水部材６は、その下部を上部コンクリートブロック３の上面に予め周設した凹溝部６１に嵌合させて配置してもよく、この場合には、第１止水部材６は、上部コンクリートブロック３の上面と蓋受枠４の据付フランジ４１との間隔空間に流し込まれる充填コンクリートＭの流動によって移動あるいは変形することがなく、接着剤による張り付けを要しない。
ここで図２には、マンホール１の形状を角型に形成したものを示したが、マンホール１の形状は円型に形成したものであってもよいことは言うまでもない。
【００２３】
次に、本発明のマンホール首部防水構造を施工する手順について図２〜図４により詳しく説明する。
まず、図２に示すように、上部コンクリートブロック３の上面に立設されている調整ボルト５１の内方側において、第１止水部材６を接着剤で張り付けあるいは敷き詰めることにより、上部コンクリートブロック３の上面に連続して配置した後に、図３に示すように、調整ボルト５１にテーパ状のコイルスプリング５２を挿通すると共に、蓋受枠４の据付フランジ４１に穿設された挿通孔４２を挿通して蓋受枠４を設置する。この際、蓋受枠４の据付フランジ４１の裏面における挿通孔４２の内方側には、予め第２止水部材７を接着剤で張り付けることにより連続して配置する。
【００２４】
次に、蓋受枠４の上側から調整ボルト５１に調整ナット５３を螺合し、この調整ナット５３の締め付けにより、テーパ状のコイルスプリング５２を押圧させながら蓋受枠４の高さを路面に合わせるように調整する。
そして、蓋受枠４の据付フランジ４１の内周面と上部コンクリートブロック３の内周面とに亘って弾性変形するゴム材で構成された内型枠８を架設することにより、この内型枠８で上部コンクリートブロック３の上面と蓋受枠４の据付フランジ４１との間隔空間の内周側を閉鎖する。
【００２５】
次に、上部コンクリートブロック３の外周面に、蓋受枠４の据付フランジ４１より上方に延びる可撓性ポリオレフィン発泡材または可撓性ゴム材で構成された外型枠９を配設し、この外型枠９の内周面と蓋受枠４の据付フランジ４１の外周面との間に充填コンクリートＭを流し込むためのリング状の充填口１０を形成する。
そして、このリング状の充填口１０から上部コンクリートブロック３の上面と蓋受枠４の据付フランジ４１との間に、２〜３時間で硬化することができる充填コンクリートＭを充填する。この際、充填コンクリートＭを蓋受枠４の据付フランジ４１の上部まで充填して、充填コンクリートＭで調整ナット５３を封鎖してもよく、これにより、調整ナット５３の弛みによる蓋受枠４のガタツキを防止することができると共に、蓋受枠４の据付フランジ４１に穿設された挿通孔４２からの雨水の漏入を防止することができる。
【００２６】
上述したようにして設置された第１止水部材６及び第２止水部材７によりマンホール１内への雨水の漏入は確実に遮断される。すなわち、上部コンクリートブロック３と充填コンクリートＭとの接合面、また充填コンクリートＭと蓋受枠４との接合面に沿って漏入する雨水は、それぞれ各止水部材６，７によって遮断される。また、雨水が各止水部材６，７に浸透した場合、各止水部材６，７は体積膨張するものであるから、接合面でのシール性が向上し、より確実に雨水の漏入を遮断することができる。
【００２７】
次に、蓋高さ調整装置５の他の実施例を図６及び図７により説明する。
上述した実施例においては、蓋高さ調整装置５に使用されるコイルスプリング５２はテーパ状に形成されたものであったが、テーパ状のコイルスプリング５２は、図６に示すように、上下部のコイル径が中央部より小径である樽型状に形成されたコイルスプリング５２’であってもよく、この場合には、蓋受枠４の高さ調整範囲を拡大することができるばかりでなく、上部コンクリートブロック３の上面側における第１止水部材６の配置スペースを広くすることができる。
【００２８】
また、図７に示す蓋高さ調整装置５の実施例はコイルスプリング５２を使用しないナット形式のものであり、上部コンクリートブロック３の上面に立設された調整ボルト５１に調整ナット５３を螺合した後に、蓋受枠４の挿通孔４２を調整ボルト５１に挿通して調整ナット５３の上に蓋受枠４を設置する。次に、調整ナット５３により高さ調整をして蓋受枠４を地面の傾斜に合わせ、蓋受枠４を締付ナット５４で固定するものであり、このナット形式による蓋高さ調整装置５は大型のマンホール１に有利である。
【００２９】
上述したように本発明のマンホール首部防水構造を用いることにより、異なる材質で構成されるコンクリートブロックの上面と充填材との接合面、及び充填材の上面と蓋受枠の据付フランジとの接合面に沿って漏入する雨水を遮断することができ、その結果としてマンホール内部への雨水の漏入を防止することができ、そのため、マンホール内部における通信管路等の雨水による腐食を防止することができる。また、第１止水部材及び第２止水部材は蓋高さ調整装置の内方側において連続して配置されているものであるから、第１止水部材及び第２止水部材は、コンクリートブロックの上面と充填材との接合面、及び充填材の上面と蓋受枠の据付フランジとの接合面に沿って漏入する雨水ばかりでなく、高さ調整装置から漏入する雨水をも遮断することができる。
【図面の簡単な説明】
【図１】マンホール上部の縦断面図である。
【図２】上部コンクリートブロック側の斜視図である。
【図３】充填コンクリートの充填状態を示すマンホール上部の部分縦断面図である。
【図４】充填コンクリートの硬化状態を示すマンホール上部の部分縦断面図である。
【図５】第１止水部材の他の配置状態を示すマンホール上部の部分縦断面図である。
【図６】コイルスプリングの他の型式を示すマンホール上部の部分縦断面図である。
【図７】高さ調整装置の他の型式を示すマンホール上部の部分縦断面図である。
【図８】従来例の説明図である。
【符号の説明】
１    マンホール
２    コンクリートブロック
３    上部コンクリートブロック
４    蓋受枠
４１  据付フランジ
４２  挿通孔
４３  蓋体
５    蓋高さ調整装置
５１  調整ボルト
５２  テーパ状のコイルスプリング
５２’樽型状のコイルスプリング
５３  調整ナット
５４  締付ナット
６    第１止水部材
６１  凹溝部
７    第２止水部材
８    内型枠
９    外型枠
１０  リング状の充填口
Ｍ    充填材としての充填コンクリート
【図１】
0003592257.tif 000002
【図２】
0003592257.tif 000003
【図３】
0003592257.tif 000004
【図４】
0003592257.tif 000005
【図５】
0003592257.tif 000006
【図６】
0003592257.tif 000007
【図７】
0003592257.tif 000008
【図８】
0003592257.tif 000009